(57)【特許請求の範囲】
【請求項１】
椅子の座の下方に設けた腕杆の外側面と、肘掛けを支持する肘掛支柱の下端部より内方を向く内向き部の内側面とのいずれか一方を山形の凸面とし、かつ他方を、前記凸面とほぼ補形をなすＶ溝状の凹面とし、前記凸面と凹面とを互いに密接させ、前記腕杆における凸面の山高部の中央部または凹面の谷の部分の中央部に、内部にねじ孔が穿設された突部を形成するとともに、この突部が嵌合しうる拡大孔と、それより小径の通孔と、通孔より大径で、かつ肘掛支柱における内向き部において外側方に向かって開口する挿入孔とを、ほぼ水平の一直線上に連続して肘掛け支柱の内向き部の内部に穿設し、連結ボルトの軸部を挿入孔から通孔に通して、前記連結ボルトの先端部に設けた雄ねじ部を突部のねじ孔に螺合することにより、前記腕杆と肘掛支柱とを螺締したことを特徴とする椅子の肘掛け取付装置。
【請求項２】
肘掛支柱の下端部を、内方に向かって湾曲させることにより内向き部を形成し、この湾曲させた部分に、外側方に向かって開口する挿入孔を設けた請求項１記載の椅子の肘掛け取付装置。
【請求項３】
肘掛支柱の外側面に開口する挿入孔に、その開口部分を閉塞する閉塞部材を着脱自在に設けた請求項１または２記載の椅子の肘掛け取付装置。
【発明の詳細な説明】
【０００１】
【発明の属する技術分野】
本発明は、椅子に肘掛けを、容易かつ強固に取り付ける装置に関する。
【０００２】
【従来の技術】
図１１は、従来の一般的な肘掛け付きの椅子を示し、(１)は脚、(２)は座、(３)は、脚(１)の上端に設けられ、座(２)を支持する支基、(４)は背もたれ、(５)は肘掛け、(６)は、上部がほぼ垂直で、下部が内側方に湾曲する肘掛支柱である。肘掛け(５)は、その下面中央部に上端が固着された肘掛支柱(６)の下端内向き部(6a)を、支基(３)の下面、または座(２)の下面に、下方より取付ボルト(７)により螺締することによって、支基(３)または座(２)に取り付けられている。
【０００３】
また、特許文献１および特許文献２にも、同様の肘掛け取付装置が記載されているが、いずれも、肘掛支柱の内向き部分を、支基や座の下方からボルト締めすることが基本構造となっている。
【特許文献１】
特開平１０−１２７４１０号公報
【特許文献２】
特開平１０−１１７８８３号公報
【０００４】
【発明が解決しようとする課題】
図１１に示す従来の椅子においては、肘掛支柱(６)を支基(３)または座(２)に取り付ける際、座(２)の下方の狭い空間内で、上向きの取付ボルト(７)の位置合せや締めつけ作業を行なわなれければならず、無理な姿勢を余儀なくされ、組み付け時の作業性が悪い。
また、肘掛けに、着座者が凭れ掛かったりして、大きな荷重が掛ったとき、その荷重がそのまま、またはてこの原理で加増されて、取付ボルト(７)に対して抜け落ちる方向に作用するので、強力な取付ボルト(７)を用いなければ、ボルトの抜け落ちや折損等を招くおそれがある。
特許文献１および２に記載されているものにおいても同様である。
【０００５】
本発明は、従来の技術が有する上記のような問題点に鑑み、肘掛けの取付け作業を、楽な作業姿勢で簡単に行なうことができるとともに、肘掛けに掛る大きな下向きの荷重が、直接取付ボルトに掛ることがなく、腕杆と肘掛支柱との接合部分を介して、軸線方向の引張り応力としてだけ取付ボルトに作用し、もって肘掛けを強固に取付けることができるようにした、椅子の肘掛け取付装置を提供することを目的としている。
【０００６】
【課題を解決するための手段】
本発明によると、上記課題は、次のようにして解決される。
(１)椅子の座の下方に設けた腕杆の外側面と、肘掛けを支持する肘掛支柱の下端部より内方を向く内向き部の内側面とのいずれか一方を山形の凸面とし、かつ他方を、前記凸面とほぼ補形をなすＶ溝状の凹面とし、前記凸面と凹面とを互いに密接させ、前記腕杆における凸面の山高部の中央部または凹面の谷の部分の中央部に、内部にねじ孔が穿設された突部を形成するとともに、この突部が嵌合しうる拡大孔と、それより小径の通孔と、通孔より大径で、かつ肘掛支柱における内向き部において外側方に向かって開口する挿入孔とを、ほぼ水平の一直線上に連続して肘掛け支柱の内向き部の内部に穿設し、連結ボルトの軸部を挿入孔から通孔に通して、前記連結ボルトの先端部に設けた雄ねじ部を突部のねじ孔に螺合することにより、前記腕杆と肘掛支柱とを螺締する。
【０００７】
(２)上記(１)項において、肘掛支柱の下端部を、内方に向かって湾曲させることにより内向き部を形成し、この湾曲させた部分に、外側方に向かって開口する挿入孔を設ける。
【０００８】
(３)上記(１)または(２)項において、肘掛支柱の外側面に開口する挿入孔に、その開口部分を閉塞する閉塞部材を着脱自在に設ける。
【０００９】
【発明の実施の形態】
図１〜図６は、本発明の第１の実施形態を備える椅子を示すもので、図１１におけるのと同一の各部材には、同一の符号を付して説明を省略する。
【００１０】
座(２)の直下における支基(３)の両側面より外側方に向かって延出する腕杆(８)の先端部は、中空角筒状をなし、その基端部内の中心軸線上にはねじ孔(９)が穿設され、かつ腕杆(８)の先端面は、前後方向を向く中央部の稜線が外側方に突出する正面視横向き山形の凸面(10)としている。
【００１１】
座(２)の両側における肘掛け(５)の下面中央部は、上下方向を向く直管状の肘掛支柱(11)の上端により支持され、各肘掛支柱(11)の対向面下部には、内方を向く管状の内向き部(11a)が連設され、その内端には、上記凸面(10)とほぼ補形をなす前後方向を向くＶ溝状の凹面(12)を形成するようにく字形に屈曲させた係合板(13)が固着されている。
【００１２】
係合板(13)と肘掛支柱(11)の内側壁における内向き部(12)の軸線上には、後記する連結ボルト(14)の軸部(14a)よりも大径で、軸部(14a)の基端に連設された拡径頭部(14b)よりも小径の通孔(15)が穿設されている。
【００１３】
支柱(11)の外側壁には、通孔(15)と同軸をなし、かつ拡径頭部(14b)よりも大径の挿入孔(16)が穿設されている。
【００１４】
上述の装置において、腕杆(８)の凸面(10)に、係合板(13)の凹面(12)を嵌合し、ついで連結ボルト(14)を挿入孔(16)より通孔(15)に挿入して、軸部(14a)の先端部に形成した雄ねじ部(14c)をねじ孔(９)に螺合した後、挿入孔(16)より工具（図示省略）を差し込んで強く螺締すれば、連結ボルト(14)の拡径頭部(14b)が、肘掛支柱(11)の内面を押圧して、係合板(13)が腕杆(８)の先端の凸面(10)に圧接するので、肘掛支柱(11)は、腕杆(８)に強固に固定される。肘掛支柱(11)の下端の開口部と挿入孔(16)は、閉塞部材(17)により体裁よく閉塞される。
【００１５】
図５および図６は、前記閉塞部材(17)を示すもので、肘掛支柱(11)の下端面と同一の外形とした合成樹脂製の倒立腕状の閉塞蓋(18)の上面に、肘掛支柱(11)の下端の開口部内に嵌合しうる内向きに弾性変形可能な複数の嵌合片(19)を突設するとともに、閉塞蓋(18)の周縁要所に、弾性変形可能な上向きの閉塞片(20)を一体的に突設し、かつその上端部内面に、上記挿入孔(16)内に嵌合可能なやや厚肉円形の係合突部(21)を設けてある。
【００１６】
閉塞部材(17)の嵌合片(19)を、肘掛支柱(11)の下端の開口部内に下方より挿入すると、閉塞片(20)の係合突部(21)が挿入孔(16)に弾性係合して、閉塞部材(17)は肘掛支柱(11)から抜け止めされるとともに、挿入孔(16)は体裁よく隠蔽される。
【００１７】
上記実施形態の閉塞部材(17)における閉塞片(20)は、支柱(11)の外側面と当接し、挿入孔(16)を係止突部(21)により外側より閉塞するようにしているが、閉塞片(20)を、支柱(11)の外側壁の内面と当接するように、閉塞蓋(18)より突設し、その外側面に、上記挿入孔(16)に内方より嵌合可能な係合突部(21)を設けてもよい。
【００１８】
また、閉塞片(20)に設けた円形の係合突部(21)の代わりに、挿入孔(16)の下端縁に単に係止可能な突起とすることもある。
【００１９】
図７〜図９は、本発明の第２の実施形態を備える椅子を示している。
なお、第１の実施形態におけるのと同一の部材については、同一の符号を付すに止め、詳細な説明は省略する。
【００２０】
第２の実施形態においては、支基(３)の両側面より外側方に向かって延出する腕杆(30)(左方のものは図示略)の先端には、上下方向を向く中央部の稜線が外側方に突出する平面視山形の凸面(31)が形成されており、凸面(31)の稜線の中央部には、内部にねじ孔(32)が穿設された円筒状の突部(33)が形成されている。
支基(３)の両側面には、外上方に傾斜する傾斜面(3a)が形成されている。
【００２１】
肘掛け(５)を支持する肘掛支柱(34)は、硬質の合成樹脂材料により、肘掛け(５)と一体的に形成されており、かつ下端部に、内方に向かってなだらかに湾曲する内向き部(34a)を有している。
【００２２】
内向き部(34a)の先端面は、肘掛支柱(34)の装着状態において、支基(３)の傾斜面(3a)と密接するか、または微小間隙を隔てて互いに平行をなして対向するようにした傾斜面(35)としてある。
【００２３】
内向き部(34a)の先端部中央には、腕杆(30)が嵌合しうるとともに、奥端に、腕杆(30)の凸面(31)とほぼ補形をなす上下方向を向くＶ溝状の凹面(36)が形成された凹部(37)が設けられている。
【００２４】
凹面(36)の中央には、腕杆(30)の先端における突部(33)が嵌合しうる拡大孔(38)と、それより小径の通孔(39)と、通孔(39)より大径で、かつ肘掛支柱(34)の屈曲部において外側方に向かって開口する挿入口(40)とが、ほぼ水平の一直線上に連続して穿設されている。
【００２５】
肘掛支柱(34)を椅子に装着するには、まず、肘掛支柱(34)の拡大孔(38)に腕杆(30)の突部(33)が嵌合し、かつ凹面(36)が凸面(31)に密接するようにして、凹部(37)を腕杆(30)に外嵌し、次いで、連結ボルト(14)の軸部(14a)を挿入孔(40)から通孔(39)に通して、雄ねじ部(14c)をねじ孔(32)に螺合し、締めつける。
【００２６】
その後、挿入孔(40)に、着脱自在な閉塞部材(41)を装着し、連結ボルト(14)の拡径頭部(14b)を隠蔽する。
【００２７】
連結ボルト(14)を締めつけると、凸面(31)と凹面(36)とが確実に位置決めされて密接し、肘掛支柱(34)は腕杆(30)に強固に固定される。
【００２８】
肘掛け(５)に下向きの大きな荷重が掛ったとき、その荷重は、まず凸面(31)と凹面(36)との接合面に作用し、連結ボルト(14)には、軸線方向の引張り応力のみが作用するので、連結ボルト(14)が折れ曲がったり、抜け外れたりするおそれは小さい。
【００２９】
また、肘掛支柱(34)の傾斜面(35)が支基(３)の傾斜面(3a)と当接することにより、肘掛支柱(34)が外下方へ回動しようとするのが強力に阻止される。
なお、本発明は、上記実施形態のみに限定されるものではなく、幾多の変化変形が可能である。
例えば、凸面(10)(31)を肘掛支柱(34)側に設け、かつ凹面(12)(36)を腕杆(８)(30)側に設けて、それらを互いに嵌合させるとともに、連結ボルトにより螺締してもよい。
また、凸面(10)(31)の稜線と凹面の溝とを、前上方または後上方等に、斜めに向けてもよい。
【００３０】
【発明の効果】
請求項１記載の発明によると、腕杆に肘掛けを取り付ける際、山形の凸面と、Ｖ溝状の凹面とを突き合わせることにより、肘掛支柱の一方向の位置決めが簡単になされるとともに、椅子の側方の広い空間を利用して、ボルト締め作業を行なうことができるので、楽な姿勢で簡単に作業することができる。
【００３１】
また、肘掛けに着座者が強く凭れ掛かっても、そのときの荷重は山形の凸面とＶ溝状の凹面との接合部分に掛り、水平をなす連結ボルトには、軸線方向に引張り応力が作用するだけであるので、連結ボルトが折れ曲がったり，抜け外れたりするおそれは小さく、肘掛支柱を強固に取付けることができる。
【００３２】
さらに、連結ボルトの拡径頭部は挿入孔内に嵌入し、外部に突出しないので、体裁がよく、また、円筒状の突部の先端部を、Ｖ溝状の凹面を形成する両傾斜面に沿わせて移動させることにより、肘掛支柱の位置決めを簡単に行なうことができる。
【００３３】
請求項３記載の発明によると、連結ボルトの拡径頭部を完全に隠蔽して、外観の向上を図ることができる。
【図面の簡単な説明】
【図１】  本発明の第１の実施形態を備える椅子の正面図である。
【図２】  同じく側面図である。
【図３】  図２のIII−III線に沿う拡大断面図である。
【図４】  図３のIV−IV線に沿う断面図である。
【図５】  閉塞部材の正面図である。
【図６】  同じく側面図である。
【図７】  本発明の第２の実施形態を備える椅子の要部分解斜視図である。
【図８】  同じく要部の拡大正面図である。
【図９】  図８のIX−IX線に沿う横断平面図である。
【図１０】  図９のＸ−Ｘ線断面図である。
【図１１】  従来の肘掛け椅子の正面図図である。
【符号の説明】
(１)脚
(２)座
(３)支基
(3a)傾斜面
(４)背もたれ
(５)肘掛け
(６)肘掛支柱
(6a)内向き部
(７)取付ボルト
(８)腕杆
(９)ねじ孔
(10)凸面
(11)肘掛支柱
(11a)内向き部
(12)凹面
(13)係合板
(14)連結ボルト
(14a)軸部
(14b)拡径頭部
(14c)雄ねじ部
(15)通孔
(16)挿入孔
(17)閉塞部材
(18)閉塞蓋
(19)嵌合片
(20)閉塞片
(21)係合突部
(30)腕杆
(31)凸面
(32)ねじ孔
(33)突部
(34)肘掛支柱
(34a)内向き部
(35)傾斜面
(36)凹面
(37)凹部
(38)拡大孔
(39)通孔
(40)挿入孔
(41)閉塞部材
【図１】
0004477743.tif 000002
【図２】
0004477743.tif 000003
【図３】
0004477743.tif 000004
【図４】
0004477743.tif 000005
【図５】
0004477743.tif 000006
【図６】
0004477743.tif 000007
【図７】
0004477743.tif 000008
【図８】
0004477743.tif 000009
【図９】
0004477743.tif 000010
【図１０】
0004477743.tif 000011
【図１１】
0004477743.tif 000012